(57)【要約】【課題】庫内温度の変化を抑制しつつ液バックを発生しにくくすることができる冷却庫の制御装置、冷却庫、及び冷却庫の制御方法を提供する。【解決手段】過熱度検出手段７によって検出した過熱度ＳＨに基づく過熱度制御を実施することで、過熱度ＳＨの変化に迅速に対応することができ、液バックを発生しにくくすることができる。このような過熱度制御において、庫内温度制御の実施中に検出した庫内温度Ｔｒおよび過熱度ＳＨに基づいて取得した目標過熱度ＳＨ１を用いることで、過熱度ＳＨに基づく制御であっても、庫内温度Ｔｒを目標温度Ｔｓ付近に保ちやすくすることができ、庫内温度Ｔｒの変化を抑制することができる。【選択図】図２
2018091494.tif 000002
【特許請求の範囲】
【請求項１】
凝縮器で凝縮された冷媒を低圧化する膨張弁と、前記冷媒を液体から気体に状態変化させる蒸発器と、該蒸発器の過熱度を検出する過熱度検出手段と、庫内温度を検出する庫内温度検出手段と、を備えた冷却庫において、前記膨張弁の弁開度を制御する冷却庫の制御装置であって、
前記弁開度の制御方法を切り換える切換手段と、
前記蒸発器の目標過熱度を取得する取得手段と、を備え、
前記庫内温度検出手段によって検出した庫内温度に基づいて、前記庫内温度が所定の目標温度となるように前記弁開度を制御する庫内温度制御を実施し、
前記庫内温度制御の実施中に、前記庫内温度検出手段によって検出した庫内温度と、前記過熱度検出手段によって検出した過熱度と、の関係に基づいて前記取得手段によって目標過熱度を取得し、その後、
前記切換手段によって、前記過熱度が前記目標過熱度となるように前記弁開度を制御する過熱度制御の実施に切り換えることを特徴とする冷却庫の制御装置。
【請求項２】
前記庫内温度が安定状態となったか否かを判断する判断手段をさらに備え、
前記判断手段によって前記庫内温度が安定状態となったことを判断した後に、前記取得手段によって前記目標過熱度を取得することを特徴とする請求項１に記載の冷却庫の制御装置。
【請求項３】
前記取得手段は、前記目標過熱度として、前記判断手段によって前記庫内温度が安定状態となったと判断した時点以前の所定の時間範囲における過熱度に基づく庫内温度安定過熱度を取得することを特徴とする請求項２に記載の冷却庫の制御装置。
【請求項４】
前記取得手段は、前記目標過熱度として、前記判断手段によって前記庫内温度が安定状態となったと判断した時点の過熱度である庫内温度安定過熱度を取得することを特徴とする請求項２に記載の冷却庫の制御装置。
【請求項５】
凝縮器で凝縮された冷媒を低圧化する膨張弁と、前記冷媒を液体から気体に状態変化させる蒸発器と、該蒸発器の過熱度を検出する過熱度検出手段と、庫内温度を検出する庫内温度検出手段と、請求項１〜４のいずれか１項に記載された冷却庫の制御装置と、を備えることを特徴とする冷却庫。
【請求項６】
凝縮器で凝縮された冷媒を低圧化する膨張弁と、前記冷媒を液体から気体に状態変化させる蒸発器と、該蒸発器の過熱度を検出する過熱度検出手段と、庫内温度を検出する庫内温度検出手段と、を備えた冷却庫において、前記膨張弁の弁開度を制御する冷却庫の制御方法であって、
前記庫内温度検出手段によって検出した庫内温度に基づいて、前記庫内温度が所定の目標温度となるように前記弁開度を制御する庫内温度制御を実施し、
前記庫内温度制御の実施中に、前記庫内温度検出手段によって検出した庫内温度と、前記過熱度検出手段によって検出した過熱度と、の関係に基づいて目標過熱度を取得し、その後、
前記過熱度が前記目標過熱度となるように前記弁開度を制御する過熱度制御の実施に切り換えることを特徴とする冷却庫の制御方法。
【発明の詳細な説明】
【技術分野】
【０００１】
本発明は、冷却庫の制御装置、冷却庫、及び冷却庫の制御方法に関する。尚、冷却庫は、例えばショーケース等が挙げられる。
【背景技術】
【０００２】
一般に、冷凍ショーケースや冷蔵ショーケース等の冷却庫は、凝縮器で凝縮された冷媒を低圧化する膨張弁と、冷媒を液体から気体に状態変化させる蒸発器と、を備え、庫内温度が設定温度となるように、膨張弁の弁開度が制御される。
【０００３】
このように膨張弁の弁開度を制御する方法として、蒸発器の過熱度および冷却庫の庫内温度を検出するとともに、プルダウン冷却時（除霜後の冷却時や室温からの冷却時）には過熱度に基づいて弁開度を制御し、定温冷却時には庫内温度に基づいて弁開度を制御する方法が提案されている（例えば、特許文献１参照）。特許文献１に記載された方法では、プルダウン冷却時には過熱度に基づく制御によって迅速に冷却し、その後、庫内温度に基づく制御によって庫内温度を一定に保つようにしている。
【先行技術文献】
【特許文献】
【０００４】
【特許文献１】特開２０１６−８０３０４号公報
【発明の概要】
【発明が解決しようとする課題】
【０００５】
しかしながら、特許文献１に記載された制御方法では、定温冷却時に過熱度が変動した場合に適切に対応できないことがあった。即ち、過熱度が変化してから庫内温度が変化するまでにはタイムラグがあり、庫内温度に基づいて弁開度を制御していると、過熱度が変化してから庫内温度が変化した場合に、庫内温度に応じて弁開度を調節するまでに過熱度が大きく変化してしまう可能性があった。過熱度が小さすぎる状態では、蒸発器に過剰な冷媒が供給されており、液バックが発生するおそれがある。
【０００６】
そこで、液バックを抑制するために、庫内温度一定制御を実施しつつ過熱度を監視し、過熱度が小さくなりすぎた場合には弁開度を小さくすることにより、液バックを抑制する方法が考えられる。しかしながら、このような方法では、液バックを抑制するために弁開度を小さくした際に、庫内温度が一時的に高くなってしまう。
【０００７】
本発明の目的は、庫内温度の変化を抑制してより安定して制御しつつ液バックを発生しにくくすることができる冷却庫の制御装置、冷却庫、及び冷却庫の制御方法を提供することにある。
【課題を解決するための手段】
【０００８】
本発明の冷却庫の制御装置は、凝縮器で凝縮された冷媒を低圧化する膨張弁と、前記冷媒を液体から気体に状態変化させる蒸発器と、該蒸発器の過熱度を検出する過熱度検出手段と、庫内温度を検出する庫内温度検出手段と、を備えた冷却庫において、前記膨張弁の弁開度を制御する冷却庫の制御装置であって、前記弁開度の制御方法を切り換える切換手段と、前記蒸発器の目標過熱度を取得する取得手段と、を備え、前記庫内温度検出手段によって検出した庫内温度に基づいて、前記庫内温度が所定の目標温度となるように前記弁開度を制御する庫内温度制御を実施し、前記庫内温度制御の実施中に、前記庫内温度検出手段によって検出した庫内温度と、前記過熱度検出手段によって検出した過熱度と、の関係に基づいて前記取得手段によって目標過熱度を取得し、その後、前記切換手段によって、前記過熱度が前記目標過熱度となるように前記弁開度を制御する過熱度制御の実施に切り換えることを特徴とする。
【０００９】
このような本発明によれば、検出した過熱度に基づく過熱度制御を実施することで、過熱度の変化に迅速に対応することができ、液バックを発生しにくくすることができる。このような過熱度制御において、目標過熱度として、庫内温度制御の実施中に検出した庫内温度と過熱度との関係に基づいて取得した値を用いることで、過熱度に基づく制御であっても、庫内温度を目標温度付近に保ちやすくすることができ、庫内温度の変化を抑制してより安定して制御することができる。尚、目標過熱度は、庫内温度制御における適宜なタイミングで取得すればよい。例えば、後述するように庫内温度が安定状態となった後に目標過熱度を取得してもよいし、庫内温度が安定する前に、庫内温度制御における庫内温度および過熱度の変化パターンに基づき、庫内温度が目標温度付近で安定するような過熱度を推定し、この過熱度を目標過熱度として取得してもよい。
【００１０】
この際、本発明の冷却庫の制御装置では、前記庫内温度が安定状態となったか否かを判断する判断手段をさらに備え、前記判断手段によって前記庫内温度が安定状態となったことを判断した後に、前記取得手段によって前記目標過熱度を取得することが好ましい。
【００１１】
このような構成によれば、庫内温度が安定状態となったことを判断した後に目標過熱度を取得する。即ち、庫内温度が目標温度付近で安定した後に目標過熱度を取得することで、適切な目標過熱度とすることができる。従って、過熱度制御時に庫内温度を目標温度付近に保ちやすくすることができる。尚、庫内温度が安定状態となったか否かは、例えば所定時間範囲における庫内温度と目標温度との差の最大値が、所定の値よりも小さいか否かに基づいて判定してもよいし、庫内温度制御を開始してからの経過時間に基づいて判定してもよいし、温度差の最大値の評価と経過時間の評価とを組み合わせて判定してもよい。
【００１２】
また、本発明の冷却庫の制御装置では、前記取得手段は、前記目標過熱度として、前記判断手段によって前記庫内温度が安定状態となったと判断した時点以前の所定の時間範囲における過熱度に基づく庫内温度安定過熱度を取得することが好ましい。このような構成によれば、所定の時間範囲における過熱度に基づく庫内温度安定過熱度（例えばこの時間範囲における過熱度の平均値）を目標過熱度とすることで、一時点において検出した過熱度を目標過熱度とする構成と比較して、検出誤差の影響を少なくしてより適切な目標過熱度とすることができる。
【００１３】
また、本発明の冷却庫の制御装置では、前記取得手段は、前記目標過熱度として、前記判断手段によって前記庫内温度が安定状態となったと判断した時点の過熱度である庫内温度安定過熱度を取得してもよい。このような構成によれば、上記のように所定の時間範囲における過熱度に基づいて目標過熱度を取得する構成と比較して、平均値等を算出する必要がなく、目標過熱度を容易に取得することができる。
【００１４】
また、本発明の冷却庫は、凝縮器で凝縮された冷媒を低圧化する膨張弁と、前記冷媒を液体から気体に状態変化させる蒸発器と、該蒸発器の過熱度を検出する過熱度検出手段と、庫内温度を検出する庫内温度検出手段と、上記に記載された冷却庫の制御装置と、を備えることを特徴とする。
【００１５】
このような本発明によれば、上記のように庫内温度の変化を抑制してより安定して制御しつつ液バックを発生しにくくすることができる。
【００１６】
また、本発明の冷却庫の制御方法は、凝縮器で凝縮された冷媒を低圧化する膨張弁と、前記冷媒を液体から気体に状態変化させる蒸発器と、該蒸発器の過熱度を検出する過熱度検出手段と、庫内温度を検出する庫内温度検出手段と、を備えた冷却庫において、前記膨張弁の弁開度を制御する冷却庫の制御方法であって、前記庫内温度検出手段によって検出した庫内温度に基づいて、前記庫内温度が所定の目標温度となるように前記弁開度を制御する庫内温度制御を実施し、前記庫内温度制御の実施中に、前記庫内温度検出手段によって検出した庫内温度と、前記過熱度検出手段によって検出した過熱度と、の関係に基づいて目標過熱度を取得し、その後、前記過熱度が前記目標過熱度となるように前記弁開度を制御する過熱度制御の実施に切り換えることを特徴とする。
【００１７】
このような本発明によれば、上記のように庫内温度の変化を抑制してより安定して制御しつつ液バックを発生しにくくすることができる。
【発明の効果】
【００１８】
本発明の冷却庫の制御装置によれば、庫内温度制御の実施中に検出した庫内温度と過熱度との関係に基づいて目標過熱度を取得した後に、過熱度制御の実施に切り換えることで、庫内温度の変化を抑制してより安定して制御しつつ液バックを発生しにくくすることができる。
【図面の簡単な説明】
【００１９】
【図１】本発明の実施形態に係る冷却庫を示す断面図である。
【図２】前記冷却庫の制御装置が実行する冷却処理の一例を示すフローチャートである。
【図３】前記制御装置が前記冷却処理を実行した際の庫内温度の変化の一例を示すグラフである。
【発明を実施するための形態】
【００２０】
以下、本発明の実施形態を図面に基づいて説明する。本実施形態の冷却庫１は、スーパーマーケットやコンビニエンスストア等の店舗に設置されて生鮮食品等の商品を収容しつつ冷蔵又は冷凍するショーケースであって、図１に示すように、ケース本体２と、除霜ヒータ３と、冷凍サイクルの庫内ユニット４と、ファン５と、制御装置６と、過熱度検出手段７と、庫内温度検出手段８と、を備える。
【００２１】
ケース本体２は、商品を収容するための収容空間２Ａを形成する。ケース本体２は、収容空間２Ａ内に設けられて商品が載置される陳列棚２１と、制御装置６を収容する電装ボックス２２と、を有する。本実施形態では、電装ボックス２２が収容空間２Ａの下方側に設けられるものとするが、電装ボックスが収容空間の上方側に設けられてもよい。陳列棚２１の下面には、収容空間２Ａを照明するための庫内灯が設けられている。
【００２２】
庫内ユニット４は、冷媒が流れる配管４１と、配管４１に設けられる膨張弁４２と、蒸発器４３と、を有するとともに、屋外の冷凍機に接続される。屋外の冷凍機の凝縮器で凝縮されて液体となった冷媒が、膨張弁４２によって低圧化されることで低温となり、このような低温且つ液体の冷媒を、蒸発器４３によって気体に状態変化させる。ファン５によって収容空間２Ａの空気を蒸発器４３に向けて送り込むことにより、この空気が蒸発器４３によって冷却される。この空気が再び収容空間２Ａに戻ることにより、収容空間２Ａが冷却される。蒸発器４３を通過した冷媒は、屋外の冷凍機に流れ込み、再び凝縮されて庫内ユニット４に送り込まれる。
【００２３】
このような庫内ユニット４において、膨張弁４２の弁開度を調節することにより、蒸発器４３に流れ込む冷媒の量が増減し、冷却能力が変化する。即ち、弁開度を大きくすることで収容空間２Ａがより冷却されて庫内温度が低下し、弁開度を小さくすることで収容空間２Ａが冷却されにくくなり庫内温度が上昇する。
【００２４】
尚、本実施形態のショーケース１は、冷凍サイクルの圧縮機および凝縮器が外部（屋外等）に設置されたいわゆる別置型ショーケースであるものとしたが、圧縮機および凝縮器が内蔵されたいわゆる内蔵型ショーケースとしてもよい。
【００２５】
制御装置６は、過熱度検出手段７および庫内温度検出手段８から信号を受信するとともに、後述するように膨張弁４２の弁開度を制御するものであって、取得手段と、切換手段と、判断手段と、を備える。尚、制御装置６は例えばＣＰＵ（中央演算処理装置）等の制御部と記憶部とを有し、制御部が取得手段、切換手段、及び判断手段として機能すればよい。また、制御手段６は、膨張弁４２だけでなく、例えば除霜ヒータ３やファン５、庫内灯等の他の制御対象も制御するものであってもよい。
【００２６】
過熱度検出手段７は、蒸発器４３の過熱度を検出するものであって、蒸発器４３の入口側における冷媒の温度（蒸発温度）を検出する入口配管温度センサ７１と、蒸発器４３の出口側における冷媒の温度（戻り配管温度）を検出する出口配管温度センサ７２と、によって構成されている。戻り配管温度から蒸発温度を減じることにより、蒸発器４３の過熱度が算出される。尚、過熱度検出手段は、冷媒の圧力に基づいて過熱度を検出してもよい。即ち、入口配管温度センサ７１に代えて冷媒の圧力を検出する圧力センサを設け、検出した低圧圧力を飽和温度換算した値を蒸発温度として、蒸発器４３の過熱度を算出してもよい。過熱度検出手段７は、検出した過熱度を信号として制御装置６に伝える。
【００２７】
庫内温度検出手段８は、庫内温度（収容空間２Ａの温度）を検出するものであって、ケース本体２における収容空間２Ａへの吹き出し口２３に設けられて吹き出し温度を検出する吹き出し口温度センサ８１と、ケース本体２における収容空間２Ａから蒸発器４３側への吸い込み口２４に設けられて吸い込み温度を検出する吸い込み口温度センサ８２と、によって構成される。例えば吹き出し温度と吸い込み温度との平均温度を庫内温度とすればよい。尚、収容空間２Ａの形状や大きさに応じて、吹き出し温度と吸い込み温度との一方にオフセットを加えて庫内温度を算出してもよい。また、庫内温度検出手段は、吹き出し口温度センサと吸い込み口温度センサとのいずれか一方のみによって構成されていてもよい。庫内温度検出手段８は、検出した庫内温度を信号として制御装置６に伝える。
【００２８】
ここで、制御装置６の制御部によって膨張弁４２の弁開度を制御して庫内温度を調節する方法の一例について説明する。尚、以下では制御装置６の制御部が所定のパラメータについてフィードバック制御を行うが、この際、例えばＰＩＤ制御等の適宜な制御を行えばよい。
【００２９】
除霜ヒータ３による除霜後や、庫内温度が室温となっている状態から冷却を開始する場合、制御装置６の制御部は、図２のフローチャートに示すような冷却処理を開始する。冷却処理において、制御装置６の制御部は、まず、所定の時間だけ所定の弁開度で膨張弁４２を開放する（ステップＳ１）。このときの弁開度は、所定値以上であればよく、１００％であってもよいし、１００％未満であってもよい。所定の時間が経過したら、制御装置６の制御部は、過熱度検出手段７によって検出した過熱度ＳＨに基づいて弁開度を制御する（ステップＳ２）。即ち、過熱度ＳＨがプルダウン過熱度ＳＨ０となるように弁開度を制御する。これにより、蒸発器４３を効率よく冷やすようにして庫内温度を急速に低下させる。
【００３０】
制御装置６の制御部は、庫内温度検出手段８によって検出した庫内温度Ｔｒが目標温度Ｔｓ以下となったか否かを判定する（ステップＳ３）。尚、目標温度Ｔｓは、庫内温度の設定温度であって、予め定められた数値が制御装置６に記憶されていてもよいし、ユーザーが入力してもよい。制御装置６の制御部は、このようなステップＳ１〜Ｓ３においてプルダウン冷却を行う。
【００３１】
庫内温度Ｔｒが目標温度Ｔｓ以下になった場合（ステップＳ３でＹ）、制御装置６の制御部は、庫内温度検出手段８によって検出した庫内温度Ｔｒに基づいて庫内温度Ｔｒが目標温度Ｔｓとなるように弁開度を制御する庫内温度制御を実施する（ステップＳ４）。一方、庫内温度Ｔｒが目標温度Ｔｓよりも高い場合（ステップＳ３でＮ）、制御装置６の制御部はステップＳ２に戻って過熱度に基づく制御を継続し、ステップＳ３にて再び庫内温度Ｔｒについて判定する。
【００３２】
制御装置６の制御部は、ステップＳ４の後、庫内温度Ｔｒが安定状態となったか否かを判定する（ステップＳ５）。即ち、制御装置６の制御部が判断手段として機能する。具体的には、所定時間範囲における庫内温度と目標温度との差の最大値を記憶部に記憶するとともに、この最大値が所定の値よりも小さい場合には庫内温度Ｔｒが安定状態となったと判断し、所定の値以下の場合には安定状態となっていないと判断する。尚、庫内温度制御を開始してから所定の時間が経過した場合に庫内温度Ｔｒが安定状態となったと判断してもよい。また、所定時間範囲における庫内温度と目標温度との差の最大値が所定の値よりも小さく、且つ、庫内温度制御を開始してから所定の時間が経過した場合に、庫内温度Ｔｒが安定状態となったと判断してもよい。
【００３３】
庫内温度Ｔｒが安定状態となった場合（ステップＳ５でＹ）、制御装置６の制御部は、目標過熱度ＳＨ１を取得する（ステップＳ６）。即ち、制御装置６の制御部が取得手段として機能する。このとき、庫内温度Ｔｒが安定状態となったと判断した時点以前の所定の時間範囲における過熱度ＳＨの平均値を庫内安定過熱度とし、この庫内安定過熱度を目標過熱度ＳＨ１として取得する。尚、庫内温度Ｔｒが安定状態となったと判断した時点の過熱度ＳＨを庫内安定過熱度とし、この庫内安定過熱度を目標過熱度ＳＨ１として取得してもよい。一方、庫内温度Ｔｒが安定状態とならない場合、制御装置６はステップＳ４に戻って庫内温度制御を継続し、ステップＳ５にて再び庫内温度Ｔｒについて判定する。
【００３４】
制御装置６の制御部は、ステップＳ６の後、過熱度検出手段７によって検出した過熱度ＳＨに基づいて過熱度ＳＨが目標過熱度ＳＨ１となるように弁開度を制御する過熱度制御を実施する（ステップＳ７）。即ち、制御装置６の制御部は弁開度の制御方法を庫内温度制御から過熱度制御に切り換え、切換手段として機能する。
【００３５】
制御装置６は、ステップＳ７の後、目標過熱度ＳＨ１の再設定の要否を判定する（ステップＳ８）。例えば、過熱度制御を開始してから所定の時間が経過した場合や、庫内温度Ｔｒと目標温度Ｔｓとの差が所定値以上となった場合に、目標過熱度ＳＨ１の再設定が必要であると判定すればよい。目標過熱度ＳＨ１の再設定が必要な場合（ステップＳ８でＹ）、制御装置６は、ステップＳ４に戻って庫内温度制御を実施する。一方、目標過熱度ＳＨ１の再設定が不要な場合（ステップＳ８でＮ）、制御装置６は、ステップＳ７に戻って過熱度制御を継続し、ステップＳ８にて再び目標過熱度ＳＨ１の再設定について判定する。制御装置６の制御部は、このようなステップＳ４〜Ｓ８において定温冷却を行う。
【００３６】
尚、上記の冷却処理では、目標過熱度ＳＨ１の再設定のために庫内温度制御を実施するものとしたが、過熱度制御を継続しつつ目標過熱度ＳＨ１を補正してもよい。即ち、庫内温度Ｔｒが目標温度Ｔｓよりも高い場合には、これらの温度差に応じて目標過熱度ＳＨ１を小さくし、庫内温度Ｔｒが目標温度Ｔｓよりも低い場合には、これらの温度差に応じて目標過熱度ＳＨ１を大きくすればよい。また、庫内温度Ｔｒと目標温度Ｔｓとの温度差が第１の閾値よりも大きく、且つ、第２の閾値よりも小さい場合には、過熱度制御を継続しつつ目標過熱度ＳＨ１を補正し、庫内温度Ｔｒと目標温度Ｔｓとの温度差が第２の閾値よりも大きい場合には、庫内温度制御を実施して目標過熱度ＳＨ１を再設定する制御としてもよい。
【００３７】
制御装置６が上記のような冷却処理を実行した場合の庫内温度、過熱度および弁開度の時間変化の一例について、図３に基づいて説明する。図３では、本実施形態の制御を実施した場合の各パラメータの変化を実線で示し、従来技術の制御を実施した場合（プルダウン冷却時に過熱度に基づく制御を行った後、庫内温度制御を行った場合）の各パラメータの変化を破線で示す。
【００３８】
本実施形態の冷却処理の開始時点（即ちプルダウン冷却開始時）をｔ０とする。まずは弁開度を１００％とし、所定時間が経過したら過熱度制御を開始する。過熱度が下降し始めたら、これに応じて弁開度を小さくしていき、庫内温度Ｔｒが目標温度Ｔｓになるまで冷却していく。庫内温度Ｔｒが目標温度Ｔｓに等しくなった時点をｔ１とする。期間ｔ０〜ｔ１がステップＳ２の制御に対応する。尚、冷却開始時の弁開度は１００％でなくてもよく、所定の弁開度以上で弁開させればよい。
【００３９】
次に、庫内温度制御を実施し、庫内温度Ｔｒが安定状態となるまで待つ。庫内温度Ｔｒが安定状態となった時点をｔ２とする。期間ｔ１〜ｔ２がステップＳ４の制御に対応する。時点ｔ２以前の所定の時間範囲における過熱度ＳＨの平均値を目標過熱度ＳＨ１とする。
【００４０】
次に、過熱度制御を実施する。時点ｔ２以降がステップＳ７に対応する。尚、図３のグラフではステップＳ８については省略している。
【００４１】
本実施形態の制御では、時点ｔ２以降において過熱度制御を実施していることから、何らかの要因によって過熱度ＳＨが変化しようとしても、弁開度を調節することによって過熱度ＳＨが略一定に保たれる。また、目標過熱度ＳＨ１は目標温度Ｔｓに対応したものであることから、過熱度ＳＨが目標過熱度ＳＨ１となるように弁開度を制御することにより、庫内温度Ｔｒが目標温度Ｔｓ付近に保たれる。
【００４２】
従来技術の制御では、本実施形態の制御と同様に、期間ｔ０〜ｔ１において過熱度ＳＨに基づく制御を実施するとともに、期間ｔ１〜ｔ２において庫内温度制御を実施するが、時点ｔ２以降においては、本実施形態の制御と異なり、庫内温度制御を継続する。
【００４３】
このような従来技術の制御において、時点ｔ３から過熱度ＳＨが低下し始めたとする。過熱度ＳＨが低下し始めてから庫内温度Ｔｒが低下を始めようとする（時点ｔ４）までにはタイムラグがある。庫内温度制御を実施していることから、庫内温度Ｔｒを一定に保つために、時点ｔ４から弁開度を小さくしていく。このように弁開度を小さくしていくと、過熱度ＳＨが上昇していき、目標過熱度ＳＨ１に対応した値を超える（時点ｔ５）。時点ｔ５から遅れて庫内温度Ｔｒが上昇しようとし、これを防ぐために弁開度を大きくしていくものの、庫内温度Ｔｒの上昇を防ぎきれないことがある。
【００４４】
過熱度ＳＨの変化に遅れて庫内温度Ｔｒが変化するため、庫内温度に基づく制御を実施すると、庫内温度Ｔｒが安定するまで弁開度の増減を繰り返す必要がある。また、庫内温度に基づく制御では、庫内温度Ｔｒよりも先に変化する過熱度を一定に保つことが困難である。
【００４５】
このような本実施形態によれば、以下のような効果がある。即ち、過熱度検出手段７によって検出した過熱度ＳＨに基づく過熱度制御を実施することで、過熱度ＳＨの変化に迅速に対応することができ、液バックを発生しにくくすることができる。このような過熱度制御において、庫内温度制御の実施中に検出した庫内温度Ｔｒおよび過熱度ＳＨに基づいて取得した目標過熱度ＳＨ１を用いることで、過熱度ＳＨに基づく制御であっても、庫内温度Ｔｒを目標温度Ｔｓ付近に保ちやすくすることができ、庫内温度Ｔｒの変化を抑制することができる。
【００４６】
なお、本発明は、前記実施形態に限定されるものではなく、本発明の目的が達成できる他の構成等を含み、以下に示すような変形等も本発明に含まれる。
【００４７】
例えば、前記実施形態では、庫内温度Ｔｒが安定状態となった後に目標過熱度ＳＨ１を取得するものとしたが、目標過熱度ＳＨ１は検出した庫内温度Ｔｒと過熱度ＳＨとの関係に基づいて取得すればよく、庫内温度Ｔｒが安定状態となる前に目標過熱度ＳＨ１を取得してもよい。例えば、庫内温度制御の実施中における庫内温度Ｔｒおよび過熱度ＳＨの時間変化パターンに基づき、庫内温度Ｔｒが目標温度Ｔｓ付近で安定するような過熱度ＳＨを推定し、この過熱度ＳＨを目標過熱度ＳＨ１として取得してもよい。
【００４８】
また、前記実施形態では、目標過熱度ＳＨ１の再設定が必要か否かについて、過熱度制御を開始してからの経過時間や、庫内温度Ｔｒと目標温度Ｔｓとの差に基づいて判断することを例示したが、冷却庫の設定が変更された場合に目標過熱度ＳＨ１を再設定するようにしてもよい。冷却庫は、例えば季節設定やデマンドコントロール、省エネ等の各種の目的に応じて冷媒の低圧圧力の設定値が変更される場合があり、このとき、蒸発温度が変化し、庫内温度Ｔｒが安定状態となる過熱度（庫内安定過熱度）が変化する。
【００４９】
このような場合、入口配管温度センサ７１や圧力センサを用いて蒸発温度を検出することにより、冷却庫の設定が変更されたか否かを判定することができる。過熱度制御を開始してからの経過時間や、庫内温度Ｔｒと目標温度Ｔｓとの差に関わらず、冷却庫の設定が変更されたと判断した場合に目標過熱度ＳＨ１を再設定すれば、冷却庫の設定の変更に迅速に対応することができ、応答性を向上させることができる。
【００５０】
また、冷却庫の設定が変更されて目標過熱度ＳＨ１を再設定する際、実際に庫内温度Ｔｒが安定状態となるのを待たずに、過去の履歴に基づいて再設定してもよい。即ち、実際に庫内温度Ｔｒが安定状態となった際の庫内安定過熱度と、そのときの蒸発温度と、の関係を記憶しておき、冷却庫の設定が変更されて蒸発温度が変化した場合に、変化後の蒸発温度に対応した庫内安定過熱度を読み出してこれを目標過熱度ＳＨ１としてもよい。このように、実際に庫内温度Ｔｒが安定状態となるのを待たずに目標過熱度ＳＨ１を再設定すれば、冷却庫の設定の変更に速やかに対応することができる。
【００５１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、制御方法及び手順、数量、その他の詳細な構成において、当業者が様々な変形を加えることができるものである。従って、上記に開示した制御方法及び手順などを限定した記載は、本発明の理解を容易にするために例示的に記載したものであり、本発明を限定するものではないから、それらの制御方法及び手順などの限定の一部、もしくは全部の限定を外した記載は、本発明に含まれるものである。
【符号の説明】
【００５２】
１          ショーケース（冷却庫）
４２        膨張弁
４３        蒸発器
６          制御装置
７          過熱度検出手段
８          庫内温度検出手段
【図１】
2018091494.tif 000003
【図２】
2018091494.tif 000004
【図３】
2018091494.tif 000005